(57)【要約】【課題】  排出された原稿を取り出す際の操作性がよい画像形成装置を提供することを目的とする。【解決手段】  画像形成装置１は、搬送された原稿を装置の横方向に排出する原稿排出部１８０と、画像が形成されたシートを装置の横方向に排出するシート排出部８０と、を備え、原稿排出部１８０は、シート排出部８０よりも上方に配置されており、かつ、原稿排出部１８０から排出される原稿Ｄが、シート排出部８０から排出されるシートＳよりも、画像形成装置１の奥行き方向（Ｚ軸方向）での前側に位置するように配置されている。【選択図】図３
2020015615.tif 000002
【特許請求の範囲】
【請求項１】
原稿を搬送して搬送された原稿の画像を読み取り、シートに画像を形成する画像形成装置であって、
搬送された原稿を装置の横方向に排出する原稿排出部と、
画像が形成されたシートを装置の横方向に排出するシート排出部と、を備え、
前記原稿排出部は、前記シート排出部よりも上方に配置されており、かつ、前記原稿排出部から排出される原稿が、前記シート排出部から排出されるシートよりも装置の前側に位置するように配置されていることを特徴とする画像形成装置。
【請求項２】
前記原稿排出部は、原稿を排出する原稿排出口を備え、
前記シート排出部は、シートを排出するシート排出口を備えており、
前記原稿排出口は、前記シート排出口よりも装置の前側に配置されていることを特徴とする請求項１記載の画像形成装置。
【請求項３】
前記原稿排出部は、原稿を排出する原稿排出ローラを備え、
前記シート排出部は、シートを排出するシート排出ローラを備え、
前記原稿排出ローラは、前記シート排出ローラよりも装置の前側に配置されていることを特徴とする請求項１または２記載の画像形成装置。
【請求項４】
原稿を載置する原稿載置部を備え、前記原稿載置部に載置された原稿を装置内部に給送するとともに、
シートを載置するシート載置部を備え、前記シート載置部に載置されたシートを装置内部に給送し、
前記原稿載置部は、前記原稿載置部に載置された原稿が、前記シート載置部に載置されたシートよりも装置の前側に位置するように配置されている請求項１〜３記載の画像形成装置。
【請求項５】
前記原稿載置部には、互いの間隔を変化させることにより、原稿の搬送方向に直交する方向における原稿の両端を規制して原稿を位置合わせする一対の原稿規制部材が設けられ、
前記シート載置部には、互いの間隔を変化させることにより、シートの搬送方向に直交する方向におけるシートの両端を規制してシートを位置合わせする一対のシート規制部材が設けられ、
前記一対の原稿規制部材は、原稿の搬送方向に直交する方向における前記一対の原稿規制部材の中心位置が、シートの搬送方向に直交する方向における前記一対のシート規制部材の中心位置よりも装置の前側に位置するように、配置されていることを特徴とする請求項４記載の画像形成装置。
【請求項６】
前記一対の原稿規制部材のうち、
装置の前側に配置される原稿規制部材は固定されており、
装置の奥側に配置される原稿規制部材は、原稿の搬送方向に直交する方向に移動可能である請求項５記載の画像形成装置。
【請求項７】
前記原稿載置部に載置された原稿を前記原稿排出部へ搬送する原稿搬送部と、
前記原稿搬送部により搬送される原稿の画像を読み取る画像読み取り部を備え、
前記原稿搬送部および前記原稿排出部は、前記原稿載置部に載置された原稿の表裏を反転させることなく前記原稿排出部から排出し、
前記画像読み取り部は、搬送される原稿の表面の画像、及び裏面の画像を読み取ることを特徴とする請求項４〜６の何れか記載の画像形成装置。
【請求項８】
搬送される原稿の画像を読み取る画像読み取り部と、
搬送されるシートに画像を形成する画像形成部と、を備え、
前記画像読み取り部は、原稿の搬送方向に直交する方向における前記画像読み取り部の中心位置が、シートの搬送方向に直交する方向における前記画像形成部の中心位置よりも装置の前側に位置するように、配置されていることを特徴とする請求項１〜７の何れか記載の画像形成装置。
【請求項９】
搬送される原稿の画像を読み取る画像読み取り部と、
画像形成装置への操作入力を受け付ける操作部と、を備え、
前記画像読み取り部が、前記操作部よりも装置の前側に配置されることを特徴とする請求項１〜８の何れか記載の画像形成装置。
【請求項１０】
搬送される原稿の画像を読み取る画像読み取り部と、
画像形成装置への操作入力を受け付ける操作部と、を備え、
前記画像読み取り部が、前記操作部よりも下側に配置されることを特徴とする請求項１〜９の何れか記載の画像形成装置。
【請求項１１】
前記原稿排出部には、原稿を排出する原稿排出口が備えられ、
前記シート排出部には、シートを排出するシート排出口が備えられており、
少なくとも装置の一側面に開口し、且つ、前記原稿排出口および前記シート排出口が臨む空間であり、前記原稿排出口から排出された原稿および前記シート排出口から排出されたシートを収容する排出収容部と、を備えたことを特徴とする請求項１〜１０の何れか記載の画像形成装置。
【発明の詳細な説明】
【技術分野】
【０００１】
本発明は、画像形成装置に関する。
【背景技術】
【０００２】
従来、原稿の画像を読み取って、シートに画像を形成する画像形成装置が知られている。
【０００３】
特許文献１には、小サイズ原稿を原稿セットトレイに載置するときに、原稿セットトレイにおける小サイズ原稿の載置位置を目視できるようにするための透明部材からなる窓部を備えた画像形成装置が記載されている。
【発明の概要】
【発明が解決しようとする課題】
【０００４】
本発明は、排出された原稿を取り出す際の操作性がよい画像形成装置を提供することを目的とする。
【課題を解決するための手段】
【０００５】
本発明は、原稿を搬送して搬送された原稿の画像を読み取り、シートに画像を形成する画像形成装置であって、搬送された原稿を装置の横方向に排出する原稿排出部と、画像が形成されたシートを装置の横方向に排出するシート排出部と、を備え、前記原稿排出部は、前記シート排出部よりも上方に配置されており、かつ、前記原稿排出部から排出される原稿が、前記シート排出部から排出されるシートよりも装置の前側に位置するように配置されている。
【発明の効果】
【０００６】
本発明によれば、排出された原稿を取り出す際の操作性がよい画像形成装置を提供できる。
【図面の簡単な説明】
【０００７】
【図１】本発明の一実施形態である画像形成装置１の斜視図である。
【図２】図１に示した画像形成装置１の断面図である。
【図３】図１に示した画像形成装置１の断面図である。
【図４】図１に示した画像形成装置１の上面図である。
【図５】図１に示した画像形成装置１の変形例を示す斜視図である。
【図６】図５に示した画像形成装置１を示す上面図である。
【図７】図６に示した画像形成装置１の他の変形例を示す上面図である。
【発明を実施するための形態】
【０００８】
以下、添付の図面に基づき、本発明の実施の形態について説明する。なお、本発明の実施の形態を説明するための各図面において、同一の機能もしくは形状を有する部材や構成部品等の構成要素については、判別が可能な限り同一符号を付すことにより一度説明した後ではその説明を省略する。
【０００９】
図１は、本発明の一実施形態である画像形成装置１の斜視図である。図１に示されるＸ軸方向は画像形成装置１の幅方向であり、Ｙ軸方向は画像形成装置１の高さ方向であり、Ｚ軸方向は画像形成装置１の奥行き方向である。
【００１０】
画像形成装置１は、原稿を搬送して搬送された原稿の画像を読み取る原稿搬送読取装置１００と、物品の載置面となる上面を有する天板３００と、天板３００上に載置され、画像形成装置１への操作入力を受け付ける操作部４００と、シートに画像を形成する画像形成部６０と、排出された原稿およびシートを収容する排出収容部２００とを備える。
【００１１】
画像形成装置１は、また、画像形成部６０に供給されるシートを載置する内部シート載置部１０と、画像形成部６０に供給されるシートを載置する第２の内部シート載置部１５とを装置内部に備える。
【００１２】
画像形成装置１は、さらに、幅方向（Ｘ方向）右側の側面５００に、画像形成部６０に給送されるシートを載置するシート載置部２０を備え、原稿搬送読取装置１００は、装置内部に供給される原稿を載置する原稿載置部１１０を画像形成装置１の側面５００に備える。シート載置部２０および原稿載置部１１０は、画像形成装置１に対して開放および格納可能であり、図１は格納された状態を示している。
【００１３】
排出収容部２００には、排出された原稿が載置される原稿載置面（排出原稿載置部）２２０と、排出されたシートが載置されるシート載置面（排出シート載置部）２４０と、排出されたシートが載置される第２のシート載置面（第２の排出シート載置部）２５０とが配置されている。なお、原稿載置面２２０を備えた排出収容部２００は、原稿搬送読取装置１００に含まれるように構成してもよい。
【００１４】
排出収容部２００は、画像形成装置１の高さ方向（Ｙ軸方向）の上側は天板３００に覆われ、画像形成装置１の幅方向（Ｘ軸方向）の右側は側面５００に覆われ、画像形成装置１の奥行き方向（Ｚ軸方向）の後ろ側は後側面５５０に覆われている。これにより、原稿載置面２２０に排出された原稿、およびシート載置面２４０、第２のシート載置面２５０に排出されたシートの機密性が確保できる。
【００１５】
排出収容部２００には、また、画像形成装置１の奥行き方向（Ｚ軸方向）前側の前側面、及び画像形成装置１の幅方向（Ｘ軸方向）の左側の左側面に開口する開口部２１０が形成されており、この開口部２１０を介して、原稿載置面２２０と、シート載置面２４０と、第２のシート載置面２５０が、画像形成装置１の外部に露出している。これにより、原稿載置面２２０に排出された原稿、およびシート載置面２４０に排出されたシートを容易に画像形成装置１から取り出すことができる。
【００１６】
図２は、図１に示した画像形成装置１の幅方向（Ｘ軸方向）および高さ方向（Ｙ軸方向）を含む平面での断面図であって、奥行き方向（Ｚ軸方向）の前側から見た断面図である。シート載置部２０および原稿載置部１１０は、画像形成装置１から開放された状態を示している。シート載置部２０および原稿載置部１１０は、画像形成装置１の幅方向（Ｘ軸方向）の右方向において、天板３００の外周縁より外部に張り出している。
【００１７】
原稿搬送読取装置１００は、原稿載置部１１０に載置された原稿を装置内部に給送する原稿給送部１３０と、原稿給送部１３０から給送される原稿を搬送する原稿搬送部１５０と、原稿搬送部１５０により搬送される原稿の下面（底面）を第１面（表面）として読み取る画像読取り部１６０と、原稿搬送部１５０により搬送される原稿の上面を第２面（裏面）として読み取る第２の画像読取り部１７０と、原稿搬送部１５０により搬送される原稿を排出する原稿排出部１８０を備える。原稿搬送読取装置１００の上部かつ天板３００の下部の間には、空きスペース１０１が形成されている。また、画像読取り部１６０および第２の画像読取り部１７０を含む原稿搬送読取装置１００は、操作部４００よりも下側に配置される。
【００１８】
原稿給送部１３０は、原稿載置部１１０に載置された原稿の有無を検知する原稿センサ１３２と、原稿載置部１１０から原稿を給送する原稿給送ローラ１３４を備える。原稿センサ１３２が原稿ありを検知すると、原稿給送ローラ１３４は、原稿載置部１１０に載置された原稿の底面に当接して回転することにより、原稿載置部１１０から原稿を給送する。原稿載置部１１０に複数の原稿が積層されている場合、原稿給送部１３０は、原稿載置部１１０に載置された原稿のうち、最下部の原稿を給送する。
【００１９】
原稿搬送部１５０は、原稿給送部１３０から給送された原稿を搬送する搬送ローラ対１５２、１５３と、搬送ローラ対１５２、１５３から搬送された原稿を搬送する第２の搬送ローラ対１５４、１５５を備える。
【００２０】
原稿排出部１８０は、原稿載置面２２０に向けて原稿を排出する原稿排出口１８２と、第２の搬送ローラ対１５４、１５５から搬送された原稿を原稿排出口１８２に向けて搬送する原稿排出ローラ対１８４、１８５を備える。排出収容部２００は、原稿排出口１８２が臨む空間であり、原稿排出口１８２から排出された原稿を収容するように形成される。原稿は、画像形成装置１の幅方向（横方向、Ｘ軸方向）の左側に向けて、原稿排出口１８２から排出される。原稿搬送部１５０および原稿排出部１８０は、原稿載置部１１０に載置された原稿の表裏を反転させることなく原稿排出部１８０から排出するように構成されている。
【００２１】
画像形成装置１は、内部シート載置部１０に載置されたシートを画像形成部６０に給送する内部シート給送部１１と、第２の内部シート載置部１５に載置されたシートを画像形成部６０に給送する第２の内部シート給送部１６と、シート載置部２０に載置されたシートを装置内部の画像形成部６０に給送するシート給送部３０と、内部シート給送部１１、第２の内部シート給送部１６およびシート給送部３０から給送されるシートを搬送するシート搬送部４０と、上述した画像形成部６０により形成された画像をシート上に定着させる定着部７０と、画像が定着したシートを排出するシート排出部８０を備える。ここで、上述した原稿排出部１８０は、シート排出部８０よりも上方に配置されている。
【００２２】
シート給送部３０は、シート載置部２０に載置されたシートの有無を検知するシートセンサ３２と、シート載置部２０からシートを給送するシート給送ローラ３４を備える。シートセンサ３２がシートありを検知すると、シート給送ローラ３４は、シート載置部２０に載置されたシートの底面に当接して回転することにより、シート載置部２０からシートを給送する。シート載置部２０に複数のシートが積層されている場合、シート給送部３０は、シート載置部２０に載置されたシートのうち、最下部のシートを給送する。
【００２３】
シート搬送部４０は、画像形成部６０に向けてシートを搬送する搬送ローラ対４２、４３と、定着部７０より下流側でシートの搬送先を切り替える搬送切替部４８と、画像が定着したシートを反転して搬送する第２の搬送ローラ対４４、４５と、第２の搬送ローラ対４４、４５から搬送されるシートを搬送ローラ対４２、４３に向けて搬送する第３の搬送ローラ対４６、４７とを備える。
【００２４】
画像形成部６０は、ブラック、シアン、マゼンタ、イエロー各色のトナーを収納するトナー収納部６２Ｂ、６２Ｃ、６２Ｍ、６２Ｙと、画像読取り部１６０および第２の画像読取り部１７０が読み取った画像に対応する画像書き込み光を生成する書き込み部６３と、書き込み部６３が生成した画像書き込み光によりブラック、シアン、マゼンタ、イエロー各色の画像を形成する画像形成ユニット６４Ｂ、６４Ｃ、６４Ｍ、６４Ｙと、画像形成ユニット６４Ｂ、６４Ｃ、６４Ｍ、６４Ｙが形成した各色の画像を重ね合わせてシートに転写する転写部６６を備える。
【００２５】
転写部６６は、画像形成ユニット６４Ｂ、６４Ｃ、６４Ｍ、６４Ｙにより形成された各色の画像が重ね合わされて一次転写される中間転写ベルト６７と、中間転写ベルト６７上に転写された画像をシートに二次転写する二次転写部６８とを備える。
【００２６】
シート排出部８０は、シート載置面２４０に向けてシートを排出するシート排出口８２と、シートをシート排出口８２に向けて搬送するシート排出ローラ対８４、８５と、第２のシート載置面２５０に向けてシートを排出する第２のシート排出口９２と、シートを第２のシート排出口９２に向けて搬送する第２のシート排出ローラ対９４、９５とを備える。排出収容部２００は、シート排出口８２および第２のシート排出口９２が臨む空間であり、シート排出口８２および第２のシート排出口９２から排出されたシートを収容するように形成される。シートは、画像形成装置１の幅方向（横方向、Ｘ軸方向）の左側に向けて、シート排出口８２および第２のシート排出口９２から排出される。
【００２７】
片面画像形成の場合、シート搬送部４０およびシート排出部８０は、画像形成部６０により画像形成された面が下向きになるように、シート排出部８０からシートを排出する。
【００２８】
片面画像形成の場合、定着部７０から搬送されるシートは、搬送切替部４８により、シート排出ローラ対８４、８５または第２のシート排出ローラ対９４、９５へ向けて搬送され、シート排出口８２または第２のシート排出口９２から排出される。
【００２９】
両面画像形成の場合、定着部７０から搬送されるシートは、搬送切替部４８により、第２のシート排出口９２へ向けて搬送される。そして、シートは、第２のシート排出口９２から完全に排出される前に、第２のシート排出ローラ対９４、９５が逆回転することにより、第２の搬送ローラ対４４、４５に向けて反転して搬送される。
【００３０】
図３は、図１に示した画像形成装置１の奥行き方向（Ｚ軸方向）および高さ方向（Ｙ軸方向）を含む平面での断面図であって、幅方向（Ｘ軸方向）の右側から見た断面図である。
【００３１】
１８０Ｍは、原稿排出部１８０の奥行き方向（Ｚ軸方向）での中心位置であって、図３では、原稿排出口１８２の奥行き方向（Ｚ軸方向）での中心位置１８２Ｍと同じ位置である。また、８０Ｍは、シート排出部８０の奥行き方向（Ｚ軸方向）での中心位置であって、図３では、シート排出口８２の奥行き方向（Ｚ軸方向）での中心位置８２Ｍ、および第２のシート排出口９２の奥行き方向（Ｚ軸方向）での中心位置９２Ｍと同じ位置である。
【００３２】
原稿排出口１８２は、シート排出口８２および第２のシート排出口９２よりも上方に配置されている。
【００３３】
また、原稿排出口１８２の奥行き方向（Ｚ軸方向）での中心位置１８２Ｍが、シート排出口８２の奥行き方向（Ｚ軸方向）での中心位置８２Ｍ、および第２のシート排出口９２の奥行き方向（Ｚ軸方向）での中心位置９２Ｍよりも、奥行き方向（Ｚ軸方向）での前側になるように、原稿排出口１８２、シート排出口８２および第２のシート排出口９２は配置されている。
【００３４】
これにより、原稿排出口１８２から排出された原稿Ｄは、シート排出口８２から排出されたシートＳおよび第２のシート排出口９２から排出されたシートＳよりも、奥行き方向（Ｚ軸方向）での前側に位置する。
【００３５】
図４は、図１に示した画像形成装置１の一部を透視した上面図である。原稿排出ローラ対１８４、１８５のうち上側の原稿排出ローラ１８４は、原稿の排出方向（Ｘ軸方向：図中左方向）に直交する方向（Ｚ軸方向）に沿って、右側原稿排出ローラ１８４Ｒと、左側原稿排出ローラ１８４Ｌを備える。
【００３６】
シート排出ローラ対８４、８５のうち上側のシート排出ローラ８４は、シートの排出方向（Ｘ軸方向：図中左方向）に直交する方向（Ｚ軸方向）に沿って、右側シート排出ローラ８４Ｒと、左側シート排出ローラ８４Ｌを備える。
【００３７】
右側原稿排出ローラ１８４Ｒおよび左側原稿排出ローラ１８４Ｌを含む原稿排出ローラ１８４の原稿の排出方向に直交する方向（Ｚ軸方向）での中心位置１８４Ｍは、図４では、原稿排出部１８０の奥行き方向（Ｚ軸方向）での中心位置１８０Ｍと同じ位置である。
【００３８】
右側シート排出ローラ８４Ｒおよび左側シート排出ローラ８４Ｌを含むシート排出ローラ８４のシートの排出方向に直交する方向（Ｚ軸方向）での中心位置８４Ｍは、図４では、シート排出部８０の奥行き方向（Ｚ軸方向）での中心位置８０Ｍと同じ位置である。
【００３９】
原稿排出ローラ１８４の奥行き方向（Ｚ軸方向）での中心位置１８４Ｍが、シート排出ローラ８４の奥行き方向（Ｚ軸方向）での中心位置８４Ｍよりも、奥行き方向（Ｚ軸方向）での前側になるように、原稿排出ローラ対１８４、１８５およびシート排出ローラ対８４、８５は配置されている。また、原稿排出ローラ１８４の奥行き方向（Ｚ軸方向）での中心位置１８４Ｍが、操作部４００よりも、奥行き方向（Ｚ軸方向）での前側に位置する。
【００４０】
これにより、図３に示したように、原稿排出ローラ対１８４、１８５が排出した原稿Ｄは、シート排出ローラ対８４、８５が排出したシートＳよりも、奥行き方向（Ｚ軸方向）での前側に位置する。また、原稿排出ローラ対１８４、１８５が排出した原稿Ｄは、操作部４００よりも、奥行き方向（Ｚ軸方向）での前側に位置する。
【００４１】
次に、画像読取り部１６０の原稿の搬送方向（Ｘ軸方向：図中左方向）に直交する方向（Ｚ軸方向）での中心位置１６０Ｍ、および第２の画像読取り部１７０の原稿の搬送方向に直交する方向（Ｚ軸方向）での中心位置１７０Ｍは、図４では、原稿排出部１８０の奥行き方向（Ｚ軸方向）での中心位置１８０Ｍと同じ位置である。
【００４２】
画像形成部６０のシートの搬送方向（Ｘ軸方向：図中左方向）に直交する方向（Ｚ軸方向）での中心位置６０Ｍは、図４では、シート排出部８０の奥行き方向（Ｚ軸方向）での中心位置８０Ｍと同じ位置である。
【００４３】
画像読取り部１６０の奥行き方向（Ｚ軸方向）での中心位置１６０Ｍ、および第２の画像読取り部１７０の奥行き方向（Ｚ軸方向）での中心位置１７０Ｍが、画像形成部６０の奥行き方向（Ｚ軸方向）での中心位置６０Ｍよりも、奥行き方向（Ｚ軸方向）での前側になるように、画像読取り部１６０、第２の画像読取り部１７０および画像形成部６０は配置される。
【００４４】
この構成により、画像読取り部１６０および第２の画像読取り部１７０により画像を読み取られる原稿Ｄは、画像形成部６０により画像が形成されるシートよりも、奥行き方向（Ｚ軸方向）での前側に位置する。これにより、図３に示したように、原稿排出口１８２から排出された原稿Ｄを、シート排出口８２から排出されたシートＳよりも、奥行き方向（Ｚ軸方向）での前側に位置させることができる。
【００４５】
さらに、画像読取り部１６０および第２の画像読取り部１７０は、操作部４００よりも、奥行き方向（Ｚ軸方向）での前側に位置する。
【００４６】
図５は、図１に示した画像形成装置１の変形例を示す斜視図である。原稿載置部１１０の奥行き方向（Ｚ軸方向）での中心位置１１０Ｍが、シート載置部２０の奥行き方向（Ｚ軸方向）での中心位置２０Ｍよりも、奥行き方向（Ｚ軸方向）での前側になるように、原稿載置部１１０およびシート載置部２０は配置される。
【００４７】
これにより、原稿載置部１１０に載置される原稿Ｄは、シート載置部２０に載置されるシートよりも、奥行き方向（Ｚ軸方向）での前側に位置する。
【００４８】
図６は、図５に示した画像形成装置１（図１に示した画像形成装置１の変形例）を示す上面図である。原稿載置部１１０には、原稿載置部１１０に載置された原稿を位置合わせする一対の原稿規制部材１１２、１１４が設けられる。一対の原稿規制部材１１２、１１４は、互いの間隔を変化させることにより、原稿の搬送方向（Ｘ軸方向：図中左方向）に直交する方向（Ｚ軸方向）における原稿の両端を規制して原稿を位置合わせする。
【００４９】
シート載置部２０には、シート載置部２０に載置されたシートを位置合わせする一対のシート規制部材２２、２３が設けられる。一対のシート規制部材２２、２３は、互いの間隔を変化させることにより、シートの搬送方向（Ｘ軸方向：図中左方向）に直交する方向（Ｚ軸方向）におけるシートの両端を規制してシートを位置合わせする。
【００５０】
一対の原稿規制部材１１２、１１４の原稿の搬送方向に直交する方向（Ｚ軸方向）における中心位置は、原稿載置部１１０の奥行き方向（Ｚ軸方向）での中心位置１１０Ｍと同じ位置である。
【００５１】
一対のシート規制部材２２、２３のシートの搬送方向に直交する方向（Ｚ軸方向）における中心位置は、シート載置部２０の奥行き方向（Ｚ軸方向）での中心位置２０Ｍと同じ位置である。
【００５２】
一対の原稿規制部材１１２、１１４の奥行き方向（Ｚ軸方向）での中心位置１１０Ｍが、一対のシート規制部材２２、２３の奥行き方向（Ｚ軸方向）での中心位置２０Ｍよりも、奥行き方向（Ｚ軸方向）での前側になるように、一対の原稿規制部材１１２、１１４および一対のシート規制部材２２、２３は配置される。
【００５３】
これにより、一対の原稿規制部材１１２、１１４により位置合わせされた原稿は、一対のシート規制部材２２、２３により位置合わせされたシートよりも、奥行き方向（Ｚ軸方向）での前側に位置する。
【００５４】
図７は、図６に示した画像形成装置１の他の変形例を示す上面図である。一対の原稿規制部材１１２、１１４のうち、奥行き方向（Ｚ軸方向）での前側に配置される原稿規制部材１１４は固定されており、奥行き方向（Ｚ軸方向）での奥側に配置される原稿規制部材１１２は、原稿の搬送方向（Ｘ軸方向：図中左方向）に直交する方向（Ｚ軸方向）に移動可能である。
【００５５】
一対の原稿規制部材１１２、１１４の原稿の搬送方向に直交する方向（Ｚ軸方向）における中心位置は、一対の原稿規制部材１１２、１１４の間隔が最大の場合に、原稿載置部１１０の奥行き方向（Ｚ軸方向）での中心位置１１０Ｍと同じ位置である。
【００５６】
一対の原稿規制部材１１２、１１４の間隔が最大より小さい場合は、一対の原稿規制部材１１２、１１４の原稿の搬送方向に直交する方向（Ｚ軸方向）における中心位置は、原稿載置部１１０の奥行き方向（Ｚ軸方向）での中心位置１１０Ｍよりも、奥行き方向（Ｚ軸方向）での前側になる。
【００５７】
一対のシート規制部材２２、２３のシートの搬送方向に直交する方向（Ｚ軸方向）における中心位置は、シート載置部２０の奥行き方向（Ｚ軸方向）での中心位置２０Ｍと同じ位置である。
【００５８】
ここで、一対の原稿規制部材１１２、１１４の間隔が最大の場合の、一対の原稿規制部材１１２、１１４の奥行き方向（Ｚ軸方向）での中心位置１１０Ｍが、一対のシート規制部材２２、２３の奥行き方向（Ｚ軸方向）での中心位置２０Ｍよりも、奥行き方向（Ｚ軸方向）での前側になるように、一対の原稿規制部材１１２、１１４および一対のシート規制部材２２、２３配置される。
【００５９】
これにより、一対の原稿規制部材１１２、１１４により位置合わせされた原稿Ｄは、一対のシート規制部材２２、２３により位置合わせされたシートよりも、奥行き方向（Ｚ軸方向）での前側に位置する。
【００６０】
以上説明したように、本発明の一実施形態に係る画像形成装置１は、搬送された原稿を装置の横方向に排出する原稿排出部１８０と、画像が形成されたシートを装置の横方向に排出するシート排出部８０と、を備え、原稿排出部１８０は、シート排出部８０よりも上方に配置されており、かつ、原稿排出部１８０から排出される原稿Ｄが、シート排出部８０から排出されるシートＳよりも、画像形成装置１の奥行き方向（Ｚ軸方向）での前側に位置するように配置されている。これにより、排出された原稿を取り出す際の操作性が向上する。
【００６１】
原稿排出部１８０は、原稿を排出する原稿排出口１８２を備え、シート排出部８０は、シートを排出するシート排出口８２、第２のシート排出口９２を備えており、原稿排出口１８２は、シート排出口８２および第２のシート排出口９２よりも、画像形成装置１の奥行き方向（Ｚ軸方向）での前側に配置されている。これにより、原稿排出口１８２から排出された原稿Ｄを、シート排出口８２から排出されたシートＳおよび第２のシート排出口９２から排出されたシートＳよりも、奥行き方向（Ｚ軸方向）での前側に位置させることができる。
【００６２】
原稿排出部１８０は、原稿排出ローラ対１８４、１８５を備え、シート排出部８０は、シートを排出するシート排出ローラ対８４、８５を備え、原稿排出ローラ対１８４、１８５は、シート排出ローラ対８４、８５よりも、画像形成装置１の奥行き方向（Ｚ軸方向）での前側に配置されている。これにより、原稿排出ローラ対１８４、１８５が排出した原稿Ｄを、シート排出ローラ対８４、８５が排出したシートＳよりも、奥行き方向（Ｚ軸方向）での前側に位置させることができる。
【００６３】
原稿排出ローラ対１８４、１８５は、原稿の排出方向（Ｘ軸方向：図中左方向）に直交する方向（Ｚ軸方向）に沿って、複数のローラとして右側原稿排出ローラ１８４Ｒおよび左側原稿排出ローラ１８４Ｌを備え、シート排出ローラ対８４、８５は、シートの排出方向（Ｘ軸方向：図中左方向）に直交する方向（Ｚ軸方向）に沿って、複数のローラとして右側シート排出ローラ８４Ｒおよび左側シート排出ローラ８４Ｌを備える。
【００６４】
右側原稿排出ローラ１８４Ｒおよび左側原稿排出ローラ１８４Ｌは、原稿の排出方向に直交する方向における右側原稿排出ローラ１８４Ｒおよび左側原稿排出ローラ１８４Ｌの中心位置が、シートの排出方向に直交する方向における右側シート排出ローラ８４Ｒおよび左側シート排出ローラ８４Ｌの中心位置よりも、奥行き方向（Ｚ軸方向）での前側に位置するように配置されている。これにより、原稿排出ローラ対１８４、１８５が排出した原稿Ｄを、シート排出ローラ対８４、８５が排出したシートＳよりも、奥行き方向（Ｚ軸方向）での前側に位置させることができる。
【００６５】
画像形成装置１は、原稿を載置する原稿載置部１１０を備え、原稿載置部１１０に載置された原稿を装置内部に給送するとともに、シートを載置するシート載置部２０を備え、シート載置部２０に載置されたシートを装置内部に給送し、原稿載置部１１０は、原稿載置部１１０に載置された原稿が、シート載置部２０に載置されたシートよりも、奥行き方向（Ｚ軸方向）での前側に位置するように配置されている。これにより、原稿載置部１１０に原稿を載置する際の操作性が向上する。
【００６６】
原稿載置部１１０には、互いの間隔を変化させることにより、原稿の搬送方向に直交する方向における原稿の両端を規制して原稿を位置合わせする一対の原稿規制部材１１２、１１４が設けられ、シート載置部２０には、互いの間隔を変化させることにより、シートの搬送方向に直交する方向におけるシートの両端を規制してシートを位置合わせする一対のシート規制部材２２、２３が設けられ、一対の原稿規制部材１１２、１１４は、原稿の搬送方向に直交する方向（Ｚ軸方向）における一対の原稿規制部材１１２、１１４の中心位置が、シートの搬送方向に直交する方向（Ｚ軸方向）における一対のシート規制部材２２、２３の中心位置よりも、奥行き方向（Ｚ軸方向）での前側に位置するように、配置されている。これにより、一対の原稿規制部材１１２、１１４により原稿を位置合わせする際の操作性が向上する。
【００６７】
一対の原稿規制部材１１２、１１４のうち、奥行き方向（Ｚ軸方向）での前側に配置される原稿規制部材１１４は固定されており、奥行き方向（Ｚ軸方向）での奥側に配置される原稿規制部材１１２は、原稿の搬送方向に直交する方向（Ｚ軸方向）に移動可能である。これにより、一対の原稿規制部材１１２、１１４により小サイズの原稿を位置合わせする際の操作性が向上する。
【００６８】
画像形成装置１は、原稿載置部１１０に載置された原稿を原稿排出部１８０へ搬送する原稿搬送部１５０と、原稿搬送部１５０により搬送される原稿の画像を読み取る画像読み取り部１６０、第２の画像読取り部１７０を備え、原稿搬送部１５０および原稿排出部１８０は、原稿載置部１１０に載置された原稿の表裏を反転させることなく原稿排出部１８０から排出し、画像読み取り部１６０は搬送される原稿の表面の画像を読取って、第２の画像読取り部１７０は搬送される原稿の裏面の画像を読み取る。これにより、静音性の向上、および原稿へのダメージを低減できる。
【００６９】
画像形成装置１は、搬送される原稿の画像を読み取る画像読み取り部１６０および第２の画像読取り部１７０と、搬送されるシートに画像を形成する画像形成部６０と、を備え、画像読み取り部１６０および第２の画像読取り部１７０は、原稿の搬送方向に直交する方向（Ｚ軸方向）における画像読み取り部１６０および第２の画像読取り部１７０の中心位置が、シートの搬送方向に直交する方向（Ｚ軸方向）における画像形成部６０の中心位置よりも、奥行き方向（Ｚ軸方向）での前側に位置するように、配置されている。
【００７０】
この構成により、画像読取り部１６０および第２の画像読取り部１７０により画像を読み取られる原稿Ｄは、画像形成部６０により画像が形成されるシートよりも、奥行き方向（Ｚ軸方向）での前側に位置する。これにより、原稿排出口１８２から排出された原稿Ｄを、シート排出口８２から排出されたシートＳよりも、奥行き方向（Ｚ軸方向）での前側に位置させることができる。
【００７１】
画像形成装置１は、搬送される原稿の画像を読み取る画像読み取り部１６０および第２の画像読取り部１７０と、画像形成装置への操作入力を受け付ける操作部４００と、を備え、画像読み取り部１６０および第２の画像読取り部１７０が、操作部４００よりも、奥行き方向（Ｚ軸方向）での前側に配置される。
【００７２】
この構成により、画像読取り部１６０および第２の画像読取り部１７０により画像を読み取られる原稿Ｄは、操作部４００よりも、奥行き方向（Ｚ軸方向）での前側に位置する。これにより、原稿排出口１８２から排出された原稿Ｄを、操作部４００よりも、奥行き方向（Ｚ軸方向）での前側に位置させることができて、排出された原稿を取り出す際の操作性が向上する。
【００７３】
画像形成装置１は、搬送される原稿の画像を読み取る画像読取り部１６０および第２の画像読取り部１７０と、画像形成装置への操作入力を受け付ける操作部４００と、を備え、画像読取り部１６０および第２の画像読取り部１７０が、操作部４００よりも下側に配置される。この構成により、画像読取り部１６０および第２の画像読取り部１７０により画像を読み取られる原稿Ｄは、操作部４００よりも、下側に位置する。これにより、原稿排出口１８２から排出された原稿Ｄを、操作部４００よりも下側に位置させることができて、排出された原稿を取り出す際の操作性が向上する。
【００７４】
原稿排出部１８０には、原稿を排出する原稿排出口１８２が備えられ、シート排出部８０には、シートを排出するシート排出口８２、第２のシート排出口９２が備えられており、少なくとも装置の一側面に開口し、且つ、原稿排出口１８２、シート排出口８２および第２のシート排出口９２が臨む空間であり、原稿排出口１８２から排出された原稿、シート排出口８２から排出されたシートおよび第２のシート排出口９２から排出されたシートを収容する排出収容部２００と、を備える。これにより、排出された原稿、シートの機密性を確保しつつ、原稿、シートを画像形成装置１から容易に取り出すことができる。
【符号の説明】
【００７５】
１  画像形成装置
２０  シート載置部
２２、２３  一対のシート規制部材
６０  画像形成部
８０  シート排出部
８２  シート排出口
８４、８５  シート排出ローラ対
８４Ｒ  右側シート排出ローラ
８４Ｌ  左側シート排出ローラ
９２  第２のシート排出口
１１０  原稿載置部
１１２、１１４  一対の原稿規制部材
１５０  原稿搬送部
１６０  画像読み取り部
１７０  第２の画像読取り部
１８０  原稿排出部
１８２  原稿排出口
１８４、１８５  原稿排出ローラ対
１８４Ｒ  右側原稿排出ローラ
１８４Ｌ  左側原稿排出ローラ
２００  排出収容部
４００  操作部
【先行技術文献】
【特許文献】
【００７６】
【特許文献１】特許第４８５６２２９号
【図１】
2020015615.tif 000003
【図２】
2020015615.tif 000004
【図３】
2020015615.tif 000005
【図４】
2020015615.tif 000006
【図５】
2020015615.tif 000007
【図６】
2020015615.tif 000008
【図７】
2020015615.tif 000009